(57)【要約】【課題】  マルチメディア・メッセージを受信し／送信するための方法、システム、ゲートウェイ及びユーザ・デバイスを構築すること。【解決手段】  本出願は、マルチメディア・メッセージを受信し／送信するための方法、システム、ゲートウェイ及びユーザ・デバイスを開示する。本発明により、マルチメディア・メッセージング・サービス・システムは、無線ＬＡＮ、マルチメディア・メッセージング・サービス・ユーザ・デバイス、及びマルチメディア・メッセージング・サービス・ゲートウェイを備え、該ユーザ・デバイスは、該無線ＬＡＮを経由して該ゲートウェイと交信して、マルチメディア・メッセージを送受信する。さらに、本発明のゲートウェイは、ユーザ・デバイスが無線ＬＡＮ内に位置するかどうかを検出する。もし位置していれば、マルチメディア・メッセージは無線ＬＡＮ経由で送受信され、もしそうでなければ、通常の通信ネットワークを経由して送受信される。本発明はまた、相当するゲートウェイ及び相当するユーザ・デバイスを開示する。【選択図】      図２
2007531361.tif 000002
【特許請求の範囲】
【請求項１】
マルチメディア・メッセージング・サービス・システムであって、無線ＬＡＮと、前記無線ＬＡＮ上でマルチメディア・メッセージを送信及び受信するためのＭＭＳユーザ・デバイスと、前記ＭＭＳユーザ・デバイスによって送信されたマルチメディア・メッセージを受信し、保管し、送信するためのＭＭＳゲートウェイと、を備えたシステム。
【請求項２】
請求項１に記載のマルチメディア・メッセージング・サービス・システムであって、前記ＭＭＳゲートウェイが、マルチメディア・メッセージ・ストレージ／トランシーバ、プレゼンス・マネージャ、及び通知センダーを有し、前記ＭＭＳユーザ・デバイスが、ハートビート・センダー、メッセージ・トランシーバ、及び通知レシーバを有し、前記プレゼンス・マネージャは、該ハートビート・センダーによって送信されるハートビート信号を検出して、前記ＭＭＳユーザ・デバイスが前記無線ＬＡＮ内に位置しているかどうかを確認し、前記マルチメディア・メッセージ・ストレージ／トランシーバがマルチメディア・メッセージを保管しており、且つ、前記ＭＭＳユーザ・デバイスが前記無線ＬＡＮ内に位置していることを前記プレゼンス・マネージャが検出したときに、前記通知センダーが前記無線ＬＡＮを通じて通知を前記ＭＭＳユーザ・デバイスに送信して、前記通知レシーバが前記通知を受信するようにし、前記メッセージ・トランシーバは、前記マルチメディア・メッセージを搬送する要求を前記無線ＬＡＮ上で送信することによって、前記マルチメディア・メッセージを前記マルチメディア・メッセージ・ストレージ／トランシーバに送信し、或いは、前記通知レシーバが前記通知を受信した場合には、マルチメディア・メッセージの保管位置情報を搬送する要求を前記無線ＬＡＮ上で前記マルチメディア・メッセージ・ストレージ／トランシーバに送信して、前記マルチメディア・メッセージ・ストレージ／トランシーバが前記位置情報に従ってマルチメディア・メッセージを取得し、それを、前記無線ＬＡＮ経由で前記ＭＭＳユーザ・デバイスに戻して、前記メッセージ・トランシーバによって受信されるようにする構成であることを特徴とするマルチメディア・メッセージング・サービス・システム。
【請求項３】
前記ＭＭＳゲートウェイが、さらに、ＭＭＳユーザ・デバイスの権限を確認するための認証モジュールを備えることを特徴とする、請求項１又は請求項２に記載のマルチメディア・メッセージング・サービス・システム。
【請求項４】
前記ＭＭＳゲートウェイが、企業イントラネット内に備えられて、企業のマルチメディア・メッセージ・アプリケーションと交信することを特徴とする、請求項１−請求項３のいずれか一つに記載のマルチメディア・メッセージング・サービス・システム。
【請求項５】
請求項１に記載のマルチメディア・メッセージング・サービス・システムにおいて、前記ＭＭＳユーザ・デバイス及び前記ＭＭＳゲートウェイと交信する通信ネットワークをさらに含み、前記ＭＭＳユーザ・デバイス及び前記ＭＭＳゲートウェイが、さらに、マルチメディア・メッセージを送信し、受信し、保管するために通信ネットワークを使用することを特徴とし、前記ＭＭＳゲートウェイは、さらに、該ＭＭＳユーザ・デバイスの位置を検出するプレゼンス・マネージャを有し、前記ＭＭＳユーザ・デバイスが前記無線ＬＡＮ内に位置するとき、前記ＭＭＳゲートウェイが該ユーザ・デバイスと前記無線ＬＡＮを経由して交信し、前記ＭＭＳユーザ・デバイスが前記無線ＬＡＮ内に検出されないときには、前記ＭＭＳゲートウェイは前記ＭＭＳユーザ・デバイスと通信ネットワークを経由して交信するようにされている、マルチメディア・メッセージング・サービス・システム。
【請求項６】
請求項５に記載のマルチメディア・メッセージング・サービス・システムにおいて、前記ＭＭＳゲートウェイが、さらに、マルチメディア・メッセージ・ストレージ／トランシーバ、及び通知センダーを有し、前記ＭＭＳユーザ・デバイスが、ハートビート・センダー、メッセージ・トランシーバ、通知レシーバ、短メッセージ・レシーバ、及び第２のメッセージ・トランシーバを有し、前記通信ネットワークが、さらに短メッセージ・センター及びゲートウェイを有し、前記プレゼンス・マネージャは、ハートビート・センダーによって送信されるハートビート信号を検出して、前記ＭＭＳユーザ・デバイスが前記無線ＬＡＮ内に位置しているかどうかを確認し、前記マルチメディア・メッセージ・ストレージ／トランシーバがマルチメディア・メッセージを保管しており、且つ、前記ＭＭＳユーザ・デバイスが前記無線ＬＡＮ内に位置していることを前記プレゼンス・マネージャが検出したときに、前記通知センダーが前記無線ＬＡＮを通じて通知を前記ＭＭＳユーザ・デバイスに送信し、前記通知レシーバが前記通知を受信し、前記マルチメディア・メッセージ・ストレージ／トランシーバがマルチメディア・メッセージを保管しており、且つ、前記ＭＭＳユーザ・デバイスが前記無線ＬＡＮ内に位置していないことを前記プレゼンス・マネージャが検出したときには、該通知センダーが短メッセージ通知を前記短メッセージ・センターに送信し、該センターが短メッセージを前記短メッセージ・レシーバに送信して前記ＭＭＳユーザ・デバイスに通知し、前記メッセージ・トランシーバは、マルチメディア・メッセージを搬送するＨＴＴＰ要求を前記無線ＬＡＮ上で送信することによって、該マルチメディア・メッセージを前記マルチメディア・メッセージ・ストレージ／トランシーバに送信し、或いは、前記通知レシーバが前記通知を受信したときには、該マルチメディア・メッセージの保管位置情報を搬送する要求を、前記無線ＬＡＮ上で前記マルチメディア・メッセージ・ストレージ／トランシーバに送信して、前記マルチメディア・メッセージ・ストレージ／トランシーバが前記保管位置情報に応じてマルチメディア・メッセージを取得し、それを、前記無線ＬＡＮ経由で前記ＭＭＳユーザ・デバイスに戻して、前記メッセージ・トランシーバによって受信されるようにする構成であり、前記第２メッセージ・トランシーバは、マルチメディア・メッセージを搬送する要求を前記ゲートウェイに送信することによって、該マルチメディア・メッセージを前記マルチメディア・メッセージ・ストレージ／トランシーバに送信し、或いは、前記短メッセージ・レシーバが前記通知を受信したときには、マルチメディア・メッセージの保管位置情報を搬送する要求を、前記ゲートウェイ経由で前記マルチメディア・メッセージ・ストレージ／トランシーバに送信して、前記マルチメディア・メッセージ・ストレージ／トランシーバが、前記保管位置情報に応じてマルチメディア・メッセージを取得して、それを、前記通信ネットワーク経由で前記ＭＭＳユーザ・デバイスに戻し、前記マルチメディア・メッセージが前記第２メッセージ・トランシーバによって受信されるようにする構成である、ことを特徴とするマルチメディア・メッセージング・サービス・システム。
【請求項７】
前記ハートビート信号が、ユーザ・デバイス番号又はＩＰアドレスを含むことを特徴とする、請求項２又は請求項６に記載のマルチメディア・メッセージング・サービス・システム。
【請求項８】
前記ＭＭＳゲートウェイが、さらに、ＭＭＳユーザ・デバイスの権限を確認するための認証モジュールを備えることを特徴とする、請求項５又は請求項６に記載のマルチメディア・メッセージング・サービス・システム。
【請求項９】
請求項８に記載のマルチメディア・メッセージング・サービス・システムにおいて、前記認証モジュールが、さらに、キー管理を実現するように構成され、前記ＭＭＳユーザ・デバイスが、さらに、証明書マネージャを備え、該マネージャは、前記認証モジュールと共に、ＭＭＳユーザ・デバイスに関する証明書管理、及び、ＭＭＳユーザ・デバイスとＭＭＳゲートウェイの間の交信に関する暗号化管理を行うことを特徴とするマルチメディア・メッセージング・サービス・システム。
【請求項１０】
前記ＭＭＳゲートウェイが企業イントラネット内に備えられて、企業のマルチメディア・メッセージ・アプリケーションと交信することを特徴とする、請求項５又は請求項６に記載のマルチメディア・メッセージング・サービス・システム。
【請求項１１】
請求項５に記載のマルチメディア・メッセージングサービス・システムにおいて、前記ＭＭＳゲートウェイが、さらに、マルチメディア・メッセージ・ストレージ／トランシーバ、通知センダー、及びゲートウェイを有し、前記ＭＭＳユーザ・デバイスが、ハートビート・センダー、メッセージ・トランシーバ、通知レシーバ、短メッセージ・レシーバ、及び第２のメッセージ・トランシーバを有し、前記通信ネットワークが、さらに短メッセージ・センターを有し、前記プレゼンス・マネージャが、ハートビート・センダーによって送信されるハートビート信号を検出して、前記ＭＭＳユーザ・デバイスが前記無線ＬＡＮ内に位置しているかどうかを確認し、前記マルチメディア・メッセージ・ストレージ／トランシーバが、マルチメディア・メッセージを保管しており、且つ、前記ＭＭＳユーザ・デバイスが前記無線ＬＡＮ内に位置していることを前記プレゼンス・マネージャが検出したときに、通知センダーが、前記無線ＬＡＮ経由で、通知を前記ＭＭＳユーザ・デバイスに送信し、前記通知レシーバが前記通知を受信し、前記マルチメディア・メッセージ・ストレージ／トランシーバが、マルチメディア・メッセージを保管しており、且つ、前記ＭＭＳユーザ・デバイスが前記無線ＬＡＮ内に位置していないことを前記プレゼンス・マネージャが検出したときには、通知センダーが短メッセージ通知を前記短メッセージ・センターに送信し、該短メッセージ・センターが短メッセージを前記短メッセージ・レシーバに送信して前記ＭＭＳユーザ・デバイスに通知し、前記メッセージ・トランシーバは、マルチメディア・メッセージを搬送するＨＴＴＰ要求を前記無線ＬＡＮ上で送信することによって、前記マルチメディア・メッセージを前記マルチメディア・メッセージ・ストレージ／トランシーバに送信し、或いは、前記通知レシーバが前記通知を受信したときには、マルチメディア・メッセージの保管位置情報を搬送する要求を、前記無線ＬＡＮ上で前記マルチメディア・メッセージ・ストレージ／トランシーバに送信して、前記マルチメディア・メッセージ・ストレージ／トランシーバがマルチメディア・メッセージを取得して、それを、前記無線ＬＡＮ経由で前記ＭＭＳユーザ・デバイスに戻して、前記メッセージ・トランシーバによって受信されるようにする構成であり、前記第２メッセージ・トランシーバは、マルチメディア・メッセージを搬送する要求を前記ゲートウェイに送信することによって、該マルチメディア・メッセージを前記マルチメディア・メッセージ・ストレージ／トランシーバに送信し、或いは、前記短メッセージ・レシーバが前記通知を受信したときには、マルチメディア・メッセージの保管位置情報を搬送する要求を、前記ゲートウェイ経由で、前記マルチメディア・メッセージ・ストレージ／トランシーバに送信して、前記マルチメディア・メッセージ・ストレージ／トランシーバがマルチメディア・メッセージを取得して、それを、前記ゲートウェイ及び前記通信ネットワークを経由して前記ＭＭＳユーザ・デバイスに戻し、前記第２メッセージ・トランシーバが前記マルチメディア・メッセージを受信するようにする構成である、ことを特徴とするマルチメディア・メッセージング・サービス・システム。
【請求項１２】
前記ハートビート信号が、ユーザ・デバイス番号又はＩＰアドレスを含むことを特徴とする、請求項１１に記載のマルチメディア・メッセージング・サービス・システム。
【請求項１３】
前記ＭＭＳゲートウェイが、さらに、ＭＭＳユーザ・デバイスの権限を確認するための認証モジュールを備えることを特徴とする、請求項１１に記載のマルチメディア・メッセージング・サービス・システム。
【請求項１４】
前記ＭＭＳゲートウェイが企業イントラネット内に備えられて、企業のマルチメディア・メッセージ・アプリケーションと交信することを特徴とする、請求項１１、請求項１２、又は、請求項１３に記載のマルチメディア・メッセージング・サービス・システム。
【請求項１５】
マルチメディア・メッセージ・ユーザ・デバイスであって、無線ＬＡＮを経由して検出されるハートビート信号を送信するハートビート・センダーと、受信されるべきマルチメディア・メッセージが存在することを示す通知を前記無線ＬＡＮから受信する通知レシーバと、マルチメディア・メッセージを搬送する要求を前記無線ＬＡＮ上で送信することによって、該マルチメディア・メッセージを送信し、前記通知に応答して、マルチメディア・メッセージの保管位置情報を搬送する要求を前記無線ＬＡＮ上で送信し、ＭＭＳユーザ・デバイスが前記マルチメディア・メッセージを該無線ＬＡＮから受信するようにするメッセージ・トランシーバと、を備えたユーザ・デバイス。
【請求項１６】
請求項１５に記載のマルチメディア・メッセージ・ユーザ・デバイスであって、さらに、短メッセージ通知を通信ネットワークから受信する短メッセージ・レシーバと、マルチメディア・メッセージを搬送する要求を送信することによって、該マルチメディア・メッセージを、通信ネットワークのゲートウェイに、又は、通信ネットワーク経由で、通信ネットワークの外部のゲートウェイに送信し、前記短メッセージ通知に応答して、該マルチメディア・メッセージの保管位置情報を搬送する要求を前記ゲートウェイ経由で送信し、マルチメディア・メッセージが通信ネットワークから受信されるようにする第２メッセージ・トランシーバと、を備えたユーザ・デバイス。
【請求項１７】
前記ハートビート信号が、ユーザ・デバイス番号又はＩＰアドレスを含むことを特徴とする、請求項１５又は請求項１６に記載のマルチメディア・メッセージ・ユーザ・デバイス。
【請求項１８】
マルチメディア・メッセージング・サービス・ゲートウェイであって、ＭＭＳユーザ・デバイスが無線ＬＡＮ内に位置しているかどうかを検出するプレゼンス・マネージャと、ＭＭＳユーザ・デバイスによって送信されるマルチメディア・メッセージを受信し、保管し、送信するためのマルチメディア・メッセージ・ストレージ／トランシーバと、マルチメディア・メッセージが前記マルチメディア・メッセージ・ストレージ／トランシーバ中に存在しており、且つ、前記ＭＭＳユーザ・デバイスが前記無線ＬＡＮ内に位置することを前記プレゼンス・マネージャが検出したとき、通知を、前記無線ＬＡＮ上で前記ＭＭＳユーザ・デバイスに送信するための通知センダーと、を備えたゲートウェイ。
【請求項１９】
請求項１８に記載のマルチメディア・メッセージング・サービス・ゲートウェイにおいて、前記プレゼンス・マネージャは、さらに、前記ＭＭＳユーザ・デバイスが前記無線ＬＡＮ内に位置することが検出されたとき、前記マルチメディア・メッセージング・サービス・ゲートウェイが前記ＭＭＳユーザ・デバイスと前記無線ＬＡＮ上で交信し、或いは、前記ＭＭＳユーザ・デバイスが前記無線ＬＡＮ内に位置することが検出されなかったときには、前記マルチメディア・メッセージング・サービス・ゲートウェイが前記ＭＭＳユーザ・デバイスと前記通信ネットワーク上で交信するようにする構成であり、前記通知センダーは、さらに、マルチメディア・メッセージが前記マルチメディア・メッセージ・ストレージ／トランシーバ中に保管されており、且つ、前記ＭＭＳユーザ・デバイスが前記無線ＬＡＮ内に位置しないことを前記プレゼンス・マネージャが検出したときに、前記通信ネットワークの短メッセージ・センター経由で通知を前記ＭＭＳユーザ・デバイスに送信する構成である、ことを特徴とするマルチメディア・メッセージング・サービス・ゲートウェイ。
【請求項２０】
ＭＭＳユーザ・デバイスの権限を確認するための認証モジュールをさらに備えることを特徴とする、請求項１８又は請求項１９に記載のマルチメディア・メッセージング・サービス・ゲートウェイ。
【請求項２１】
請求項２０に記載のマルチメディア・メッセージング・サービス・ゲートウェイにおいて、前記認証モジュールが、さらにキー管理を実現して、ＭＭＳユーザ・デバイスに関する証明書管理、及び、ＭＭＳユーザ・デバイスとマルチメディア・メッセージング・サービス・ゲートウェイの間の交信に関する暗号化管理を行うように構成されていることを特徴とする、サービス・ゲートウェイ。
【請求項２２】
請求項１９に記載のマルチメディア・メッセージング・サービス・ゲートウェイであって、マルチメディア・メッセージ又はそれの保管位置情報を搬送し、前記ＭＭＳユーザ・デバイスから送信される要求を、前記通信ネットワーク経由で受信して、前記ＭＭＳユーザ・デバイスから送信されたマルチメディア・メッセージを受信し、或いは、前記マルチメディア・メッセージ・ストレージ／トランシーバに保管されているマルチメディア・メッセージを前記ＭＭＳユーザ・デバイスに送信するゲートウェイをさらに備えたマルチメディア・メッセージング・サービス・ゲートウェイ。
【請求項２３】
ＭＭＳユーザ・デバイスの権限を確認するための認証モジュールをさらに備えることを特徴とする、請求項２２に記載のマルチメディア・メッセージング・サービス・ゲートウェイ。
【請求項２４】
前記ハートビート信号が、ユーザ・デバイス番号又はＩＰアドレスを含むことを特徴とする、請求項１８、請求項１９、又は請求項２２に記載のマルチメディア・メッセージング・サービス・ゲートウェイ。
【請求項２５】
前記ＭＭＳゲートウェイが、企業イントラネット内に備えられて、企業のマルチメディア・メッセージ・アプリケーションと交信することを特徴とする、請求項１８、請求項１９、又は請求項２２に記載のマルチメディア・メッセージング・サービス・ゲートウェイ。
【請求項２６】
マルチメディア・メッセージを受信し／送信する方法であって、マルチメディア・メッセージがＭＭＳユーザ・デバイスとＭＭＳゲートウェイの間で、無線ＬＡＮ経由で送受信されることを特徴とする方法。
【請求項２７】
請求項２６に記載のマルチメディア・メッセージを受信し／送信する方法であって、無線ＬＡＮが利用できるかどうかを検出することを特徴とし、利用できない場合には、マルチメディア・メッセージが、前記ＭＭＳユーザ・デバイスと前記ＭＭＳゲートウェイとの間で通信ネットワーク経由で送受信される方法。
【請求項２８】
請求項２７に記載のマルチメディア・メッセージを受信し／送信する方法であって、無線ＬＡＮが利用できるかどうかを検出する前記ステップが、前記ＭＭＳユーザ・デバイスによって送信されるハートビート信号を検出することを含むこと、を特徴とする方法。
【請求項２９】
請求項２８に記載のマルチメディア・メッセージを受信し／送信する方法であって、前記ハートビート信号が、ユーザ・デバイス番号又はＩＰアドレスを含むことを特徴とする方法。
【請求項３０】
請求項２６又は請求項２７に記載のマルチメディア・メッセージを受信し／送信する方法であって、マルチメディア・メッセージを、無線ＬＡＮ経由で前記ＭＭＳユーザ・デバイスによって送信するステップが、前記マルチメディア・メッセージを搬送する要求を、無線ＬＡＮ経由で送信するステップを含むことを特徴とする方法。
【請求項３１】
請求項２６又は請求項２７に記載のマルチメディア・メッセージを受信し／送信する方法であって、マルチメディア・メッセージを、無線ＬＡＮ経由でＭＭＳユーザ・デバイスによって受信するステップが、前記ＭＭＳゲートウェイが該マルチメディア・メッセージの保管位置情報を搬送する通知を前記ＭＭＳユーザ・デバイスに送信するステップと、前記ＭＭＳユーザ・デバイスが前記通知から前記位置情報を取得するステップと、前記ＭＭＳユーザ・デバイスが前記位置情報を搬送する要求を前記ＭＭＳゲートウェイに送信するステップと、前記ＭＭＳゲートウェイが前記位置情報に従って前記マルチメディア・メッセージを取得して、該マルチメディア・メッセージを前記ＭＭＳユーザ・デバイスに戻すステップと、を含むことを特徴とする方法。
【請求項３２】
請求項２６又は請求項２７に記載のマルチメディア・メッセージを受信し／送信する方法であって、マルチメディア・メッセージを送信し、及び／又は、受信するとき、前記ＭＭＳゲートウェイが前記ＭＭＳユーザ・デバイスの権限を確認することを特徴とする方法。
【請求項３３】
請求項２６又は請求項２７に記載のマルチメディア・メッセージを受信し／送信する方法であって、送信され／受信されるマルチメディア・メッセージが以下のステップ、即ち、ＭＭＳゲートウェイがＭＭＳユーザ・デバイスに証明書を発行するステップと、証明書を有するＭＭＳユーザ・デバイスの要求に応じて、該ＭＭＳゲートウェイが、セッションＩＤ及び該ゲートウェイのプライベート・キーによって暗号化されたマスターキーを該ＭＭＳユーザ・デバイスに送信するステップと、該マスターキーが該ＭＭＳユーザ・デバイスによってデコードされ、該ＭＭＳユーザ・デバイスの電話番号及びセッションＩＤと混合されて共有秘密キーを生成するステップと、該ゲートウェイが同じアルゴリズムを用いて共有秘密キーを生成するステップと、該マルチメディア・メッセージが前記共有秘密キーを用いて暗号化されるステップと、によって暗号化されることを特徴とする方法。
【請求項３４】
請求項３３に記載のマルチメディア・メッセージを受信し／送信する方法であって、ＭＭＳユーザ・デバイス又はＭＭＳゲートウェイが、セッションＩＤを変更することによって秘密キーを新しくすることができることを特徴とする方法。
【請求項３５】
請求項３３に記載のマルチメディア・メッセージを受信し／送信する方法であって、証明書を発行する少なくとも一つのステップと、セッションＩＤ及びマスターキーを送信するステップとが、短メッセージ又はＷＡＰ応答を送信することによって実行されることを特徴とする方法。
【請求項３６】
請求項３３に記載のマルチメディア・メッセージを受信し／送信する方法であって、証明書を発行するステップが、赤外ポート経由で同期化することによって実行されることを特徴とする方法。
【請求項３７】
請求項２７に記載のマルチメディア・メッセージを受信し／送信する方法であって、マルチメディア・メッセージを、通信ネットワーク経由で前記ＭＭＳユーザ・デバイスによって送信するステップが、前記マルチメディア・メッセージを搬送する要求を、ゲートウェイ経由で送信するステップと、前記ゲートウェイが該マルチメディア・メッセージを前記ＭＭＳゲートウェイに送信するステップと、を含むことを特徴とする方法。
【請求項３８】
請求項２７に記載のマルチメディア・メッセージを受信し／送信する方法であって、マルチメディア・メッセージを、通信ネットワーク経由で前記ＭＭＳユーザ・デバイスによって受信するステップが、前記ＭＭＳゲートウェイが該マルチメディア・メッセージの保管位置情報を搬送する通知メッセージを、通信ネットワークの短メッセージ・センターに送信するステップと、前記短メッセージ・センターが前記通知メッセージを該ＭＭＳユーザ・デバイスに転送するステップと、前記ＭＭＳユーザ・デバイスが、前記保管位置情報を前記通知メッセージから取得して、前記保管位置情報を搬送する要求を、ゲートウェイ経由で前記ＭＭＳゲートウェイに送信するステップと、前記ＭＭＳゲートウェイが前記保管位置情報に従って該マルチメディア・メッセージを取得して、該マルチメディア・メッセージを、前記ゲートウェイを経由して前記ＭＭＳユーザ・デバイスに戻すステップと、を含むことを特徴とする方法。
【請求項３９】
前記ゲートウェイが、前記ＭＭＳゲートウェイ内に備えられることを特徴とする、請求項３７又は請求項３８に記載のマルチメディア・メッセージを受信し／送信する方法。
【請求項４０】
前記ゲートウェイが前記通信ネットワーク内に備えられることを特徴とする、請求項３７又は請求項３８に記載のマルチメディア・メッセージを受信し／送信する方法。
【発明の詳細な説明】
【技術分野】
【０００１】
本発明はマルチメディア・メッセージング・サービス（ＭＭＳ）に関し、特に、マルチメディア・メッセージング・サービス・システム、前記システム中で用いられるゲートウェイ及びユーザ・デバイス、並びに、マルチメディア・メッセージを受信し／送信するための方法に関する。
【背景技術】
【０００２】
マルチメディア・メッセージング・サービス（ＭＭＳ）は、新しいグローバル・メッセージングの標準であり、テキスト、カラー画像、アニメーション、音声サンプル、及び、ビデオ・クリップ、を含む広範囲の種々のメディア・エレメントを使用可能にするものである。ＭＭＳはメッセージング能力の劇的な増大を約束し、それによってユーザの経験を豊かにし、かつ、サービス・プロバイダ及び企業ばかりでなくネットワーク・オペレータのための大きな新しい収入源を生み出す。しかし、ＭＭＳが、モバイル端末所持従業員及び利用者を支援するＢ２Ｅ（対企業取引）及びＢ２Ｃ（対顧客取引）アプリケーションに展開される場合、その使用法に関して二つの要件がある。第１の要件は、幾つかの小さな会社はマルチメディア・メッセージ（以後、“ＭＭＳメッセージ”と呼ぶ）を移動ユーザに送信するための簡単な方法を必要とする、ということである。もう一つの要件は、大企業に対して、企業アプリケーションのための高セキュリティ・メッセージ・ソリューションを提供するためのエンドツーエンド・ソリューションが必要である、ということである。しかし、現在のＭＭＳインフラストラクチャはこれら二つの要件を満足することができない。さらに、無線ＬＡＮが企業内において益々普及しており、それゆえ、従業員がオフィスにいるときには、無線ＬＡＮ（ＷＬＡＮ）を経由するＭＭＳ送受信のほうが、通信ネットワーク（例えば、モバイル交信のためのグローバル・システム（ＧＳＭ）、ジェネラル・パケット・ラジオ・サービス（ＧＰＲＳ）、符号分割多重アクセス（ＣＤＭＡ）など）を経由するよりも、ソリューションの効率が非常に良くコストが非常に低いので、企業にとって優れたソリューションとなる。
【０００３】
図１は、ＭＭＳアーキテクチャの一般的概念を示すが、その中で最も重要な要素は、二つのサブシステム、即ちＭＭＳサーバ１０４及びＭＭＳリレー１０６、を含むＭＭＳセンター（又はＭＭＳゲートウェイ）１０２である。ＭＭＳサーバは、メッセージ・ストレージ１０８を用いて、出入りするメッセージを保管し、処理する役割を担っている。ＭＭＳサーバに伴ってＭＭＳリレーがあり、これは異なるメッセージング・システムの間でメッセージを転送する役割を担っている。ＭＭＳはメッセージ保管／転送システムであるので、ＭＭＳメッセージは、企業ユーザがバックエンド・システム（ＭＭＳアプリケーション１１２）を用いて、ＭＭＳチャネル経由でマルチメディア・メッセージング・ユーザ・デバイス（以後、ＭＭＳユーザ・デバイスと呼ぶ）と交信する場合には、通信オペレータが所有するＭＭＳセンターによって保管され転送されなければならないことになる。
【発明の開示】
【発明が解決しようとする課題】
【０００４】
従って、この種のシステムには潜在的なセキュリティ問題が存在しており、その理由は、このシステムが企業のモバイル・アプリケーションに対するエンドツーエンド・ソリューションではないからである。もう一つの問題は、ＭＭＳセンターと企業アプリケーションの間のインタフェースである。現在、異なるＭＭＳセンターが異なるＡＰＩｓを提供しており、このことが、サービス・プロバイダがそれらの異なるオペレータを接続する際の幾つかの問題を生じる。さらに、ある企業があるオペレータのＭＭＳセンターに接続しようとする場合、該企業は、該オペレータの価格及びセキュリティ・ポリシーに従うように、オペレータと契約を結ばなければならない。このことも、場合によっては企業に何らかの不都合をもたらすことになる。
【課題を解決するための手段】
【０００５】
上述のことを考慮して、本発明は、無線ＬＡＮ環境においてＭＭＳアプリケーションをサポートする新しいＭＭＳシステムを提供することを目的とする。従って、本発明の一つの態様は、無線ＬＡＮと、前記無線ＬＡＮ上でマルチメディア・メッセージを送信し、受信するためのＭＭＳユーザ・デバイスと、前記ＭＭＳユーザ・デバイスによって送信されたマルチメディア・メッセージを受信し、保管し、送信するためのＭＭＳゲートウェイと、を有するマルチメディア・メッセージング・サービス・システム（ＭＭＳシステム）を提供する。
【０００６】
その結果、ＭＭＳユーザと企業アプリケーションのためのバックエンド・システムとの間の直接のＭＭＳ交信チャネルを、通信ネットワーク上に備えることが可能になる。
【０００７】
本発明の別の態様は、通信ネットワークと無線ＬＡＮの両方をサポートし、改善されたセキュリティを有するＭＭＳシステムを提供する。これを達成するために、ＭＭＳユーザ・デバイスと企業アプリケーションとの間の直接交信チャネルが設置される。ＭＭＳセンター上にＭＭＳメッセージを保管することなしに、オペレータのＭＭＳセンターを迂回する経路があるので、クライアントとバックエンドＭＭＳサーバとの間の交信チャネルは、例えばＷＴＬＳ（無線トランスポート層セキュリティ）などのセキュリティ・プロトコルによって暗号化して、ＭＭＳアプリケーションのセキュリティを高めることができる。ユーザが、無線ＬＡＮを使用できるオフィスに入り、ユーザのＭＭＳデバイスが無線ＬＡＮを経由して企業のイントラネットにアクセスできる場合、バックエンド・サーバはユーザのローミングを検出して、そのワーキング・モデルを通信モデルからＷＬＡＮモデルに切り替えることができる。従って、ユーザは、ＭＭＳデバイスを用いて、企業内のＷＬＡＮを経由してＭＭＳアプリケーションにアクセスすることができる。本発明の別の態様は、ＭＭＳユーザ・デバイス、前記システム中で使用できるＭＭＳゲートウェイ、及び、ＭＭＳメッセージを受信し／送信するための方法を提供する。
【０００８】
特に、一つの実施形態はＭＭＳユーザ・デバイスを提供し、該デバイスは、無線ＬＡＮによって検出されるべきハートビート信号を送信するハートビート・センダーと、前記ＬＡＮから、受信すべきマルチメディア・メッセージがあることを知らせる通知を受信する通知レシーバと、マルチメディア・メッセージを、前記無線ＬＡＮ上で前記マルチメディア・メッセージを搬送する要求を送信することによって送信し、かつ、前記通知に応じて、マルチメディア・メッセージの保管位置情報を搬送する要求を前記無線ＬＡＮ上で送信して、無線ＬＡＮが前記マルチメディア・メッセージを受信するようにする、メッセージ・トランシーバと、を備えたものである。本発明の別の態様は、ＭＭＳゲートウェイを提供し、該ゲートウェイは、ＭＭＳユーザ・デバイスが無線ＬＡＮに位置しているかどうかを検出するプレゼンス・マネージャと、ＭＭＳユーザ・デバイスによって送信されたマルチメディア・メッセージを保管するためのマルチメディア・メッセージ・ストレージ／トランシーバと、マルチメディア・メッセージが前記マルチメディア・メッセージ・ストレージ／トランシーバ内に存在しており、かつ、前記ＭＭＳユーザ・デバイスが前記無線ＬＡＮ内に位置することを前記プレゼンス・マネージャが検出したときに、通知を前記無線ＬＡＮ上で前記ＭＭＳユーザ・デバイスに送信する通知センダーと、を備えたものである。本発明の別の態様は、マルチメディア・メッセージを受信し／送信するための方法であって、マルチメディア・メッセージが、ＭＭＳユーザ・デバイスとＭＭＳゲートウェイとの間で、無線ＬＡＮを経由して送受信されることを特徴とする方法である。好ましくは、該方法は無線ＬＡＮが利用できるかどうかを検知し、利用できない場合には、前記ＭＭＳユーザ・デバイスと前記ＭＭＳゲートウェイの間でのマルチメディア・メッセージの送信及び受信において、通信ネットワークが使われる。
【０００９】
好ましい実施形態は、ＭＭＳオペレーショナルモデルを変更し、以下の利点の少なくとも一つをもたらす。
１．ＭＭＳアプリケーション、特に企業アプリケーションのためのエンドツーエンド・セキュリティ・ソリューションの提供。
２．企業が様々な種類のＭＭＳアプリケーションを準備することが、オペレータからの制約がないので、以前より便利になる。
３．ＭＭＳ価格モデルに対する改善。現在、ＭＭＳを送信するコストは、ＳＭＳ（短メッセージング・サービス）より遥かに高い。このことは、消費者及び企業マーケットにおけるＭＭＳの広範囲の利用を大きく制約している。しかし、本発明の実施形態を通じて、ユーザはＭＭＳメッセージを、ＭＭＳセンターを通さずに送信及び受信することができ、それゆえに、ＭＭＳ価格モデルは、メッセージ数ではなく、データフローに基づくものとなる。従って、企業が運転コストを減じることによるソリューションから利益を得ることが可能になる。
４．本発明の実施形態は、通信ネットワーク・オペレータにとっても有利である。彼らは、例えば未開発地域におけるように、ＭＭＳ課金システム及びＭＭＳセンターがない場合にさえもなお、ＧＰＲＳネットワーク上で、ＭＭＳサービスを可能な限り速やかに提供することができる。
５．ＷＬＡＮサポートは、ＧＰＲＳ又は他の通信ネットワークより優れた性能を有し、より低いコストのＭＭＳサービスを、企業内に提供することを可能にする。
６．ネットワークの中でも特に多重ネットワーク・サポート及びトランスペアレント・スイッチングは、遥かに大きな地域をカバーすることができ、ユーザにとってその時点でマルチメディア・メッセージを送受信する最良の選択である交信チャネルを、ユーザに使用させることができる。
【００１０】
本発明の他の目的、特徴、及び利点は、好ましい実施形態に関する以下の詳細な説明を読むことにより、より明らかになるであろう。添付の図面は、本明細書に組み入れられその一部となっているが、本発明の実施形態を図解し、説明と共に本発明の原理を明白にするのに役立つものである。
【発明を実施するための最良の形態】
【００１１】
本発明の好ましい実施形態が、以下に、添付の図面を参照しながら説明される。説明及び図面を通して、同等の又は相当する要素は同じ引用符号で示されることに注意されたい。図２は、本発明によるＭＭＳシステム、ＭＭＳゲートウェイ２０２及びユーザ・デバイス２０４、の第１の実施形態を示すブロック・ダイアグラムである。前記ＭＭＳシステム、ＭＭＳゲートウェイ及びユーザ・デバイス、に関する以下の説明には、本発明のマルチメディア・メッセージを受信及び送信する方法が包含される。
【００１２】
本発明の基本的な考えは、無線ＬＡＮ上でマルチメディア・メッセージを送受信することである。即ち、本発明のマルチメディア・メッセージング・システムは、無線ＬＡＮ２０６と、前記無線ＬＡＮ上でマルチメディア・メッセージを送受信するためのＭＭＳユーザ・デバイス２０４と、前記無線ＬＡＮ上でマルチメディア・メッセージを受信し、保管し、送信するためのＭＭＳゲートウェイ２０２とを有する。このようにして、無線ＬＡＮ上でマルチメディア・メッセージを送受信するためのＭＭＳユーザ・デバイス２０４と、無線ＬＡＮ上でマルチメディア・メッセージを受信し、保管し、送信するためのＭＭＳゲートウェイ２０２との間に直接のＭＭＳチャネルが確立される。その結果、セキュリティが確保され、また無線ＬＡＮを使用するためにコストが低くなる。従って、企業にとっては、モバイル端末所持従業員は、無線ＬＡＮをサポートする携帯電話などのＭＭＳユーザ・デバイス２０４を使用して、企業内のＭＭＳアプリケーション１１２と対話する（企業のＭＭＳゲートウェイとの交信により）ことができる。
【００１３】
無線ＬＡＮ上でマルチメディア・メッセージを送受信することは、任意の既存の又は将来の技術を用いて実現することができる。例えば、ＨＴＴＰプロトコル、又は任意の他のプロトコルは、マルチメディア・メッセージを送信及び／又は受信するために用いることができる。添付の図面を含む本明細書においては、一例として、ＨＴＴＰプロトコルが無線ＬＡＮ内で採用される。言うまでもなく、このことは、本発明の保護の範囲に対する制限と考えるべきではない。
【００１４】
前記ＭＭＳユーザ・デバイス２０４は、メッセージ・トランシーバ２１０及び通知レシーバ２１２を含むことができ、前記ＭＭＳゲートウェイ２０２は、通知センダー２１４及びマルチメディア・メッセージ・ストレージ／トランシーバ２１６（以後、“ＭＭＳストレージ／トランシーバと呼ぶ）を含むことができる。ＭＭＳストレージ／トランシーバは、マルチメディア・メッセージを受信し、保管し、及び送信する機能、並びに、企業内のバックエンド・アプリケーションと交信する機能を果たす。通知センダーは、ＭＭＳ通知メッセージをユーザ・デバイスに送信するのみの機能を果たす。ＭＭＳユーザ・デバイスがＭＭＳメッセージを送信しようとするときには、前記メッセージ・トランシーバは、ＭＭＳメッセージを搬送する要求（ＨＴＴＰプロトコルを用いている場合にはＨＴＴＰ要求など）を、前記ＭＭＳストレージ／トランシーバに送信する。ＭＭＳユーザ・デバイスがＭＭＳメッセージを受信しようとするとき、即ち、ＭＭＳストレージ／トランシーバがメッセージを前記ＭＭＳユーザ・デバイスに送信するときには、ＭＭＳゲートウェイが初めに通知センダーを呼び出して、ＭＭＳメッセージの位置情報を搬送するＭＭＳ通知メッセージを、前記ＭＭＳユーザ・デバイスに送信するが、ここで、前記位置情報は、ＭＭＳストレージ／トランシーバ内でのＭＭＳメッセージの保管位置を示すもので、ＨＴＴＰプロトコルが用いられている場合には、ＵＲＬ情報である。次に、ＭＭＳユーザ・デバイスがＵＲＬなどの前記位置情報をＭＭＳ通知メッセージから取得する。次いで、メッセージ・トランシーバが、前記位置情報を搬送する要求（ＨＴＴＰ要求など）を前記ＭＭＳストレージ／トランシーバに送信する。最後に、ＭＭＳストレージ／トランシーバがＭＭＳメッセージを取得して、それをＭＭＳユーザ・デバイスに戻す。このメッセージは、メッセージ・トランシーバによって受信される。
【００１５】
ＭＭＳユーザ・デバイスが、無線ＬＡＮが利用できるかどうかを判断することを可能にするために、或いは、ＭＭＳゲートウェイが、ＭＭＳユーザ・デバイスが連絡可能かどうか判断することを可能にするために、好ましい実施形態においては、ＭＭＳユーザ・デバイスは、さらに“ハートビート・センダー”を有し、ＭＭＳゲートウェイは、さらにプレゼンス・マネージャを有す。ここで、“ハートビート”は、該デバイスが動作中であることを示すために、デバイスから発信される繰返し信号である。
【００１６】
無線ＬＡＮ環境においては、ＭＭＳユーザ・デバイスは、ハートビート信号を周期的に企業ＭＭＳゲートウェイに送信する。ハートビート信号は、ユーザ・デバイス番号及びＩＰアドレスなどに関する情報を含み、これらの情報はまた、プレゼンス・マネージャ内のデータベース中に記録されている。もしゲートウェイが周期的にハートビート信号を受信するならば、このことは相当するユーザが無線ＬＡＮの範囲内に位置していることを意味し、ゲートウェイは、そのユーザに送信されるべきメッセージがあるとき、ユーザに通知を送信することができる。そうでない場合には、ユーザが通信ネットワーク内に存在するか、又はオフライン状態であることを意味し、ゲートウェイは、そのユーザに送信するべきＭＭＳメッセージがあったとしても、ユーザになんの通知も送信しない。好ましい実施形態として、ＭＭＳゲートウェイは、ユーザがＭＭＳシステムにアクセスする権限を与えられているかどうかを確認するための認証モジュールを有することができる。
【００１７】
本発明のＭＭＳゲートウェイは、企業のイントラネット内に備え付けることができて、その結果、無線ＬＡＮ及び企業のモバイル端末所持従業員のモバイル・デバイスに加えて、企業のプライベートＭＭＳシステムを設置することができる。ＭＭＳゲートウェイ、特にそのＭＭＳストレージ／トランシーバは、企業のバックエンドＭＭＳアプリケーションと交信し、その結果、企業内の種々のＭＭＳアプリケーションを稼動することができる。
【００１８】
図３は、本発明によるＭＭＳシステム、ＭＭＳゲートウェイ２０２及びユーザ・デバイス２０４、の第２の実施形態を示すブロック・ダイアグラムである。前記ＭＭＳシステム、ゲートウェイ及びユーザ・デバイス、に関する以下の説明には、本発明のマルチメディア・メッセージの受信及び送信の方法が包含される。
【００１９】
本実施形態は、図２を参照して説明された第１の実施形態を改善することによって得られたものである。従って、第１実施形態中と同じ要素は、もはや詳細には説明されないであろう。
【００２０】
本実施形態は、ＭＭＳシステムが無線ＬＡＮと、通信ネットワーク又はＧＳＭ，ＧＰＲＳ，ＣＤＭＡなどの携帯電話ネットワークとの両方をサポートする点で、第１実施形態とは異なっている。従って、ＭＭＳシステムはさらに通信ネットワーク３１２を含む。本システムにおいて、ＭＭＳユーザ・デバイス２０４は、無線ＬＡＮ２０６上、及び通信ネットワーク３１２上で、ＭＭＳメッセージを送信及び／又は受信することができる。また、ＭＭＳゲートウェイは、無線ＬＡＮ２０６上、及び通信ネットワーク３１２上で、ＭＭＳメッセージを受信し、保管し、及び送信することができる。
【００２１】
従って、ＭＭＳユーザ・デバイスが無線ＬＡＮ内にあるときは、ＭＭＳユーザ・デバイスと、企業イントラネット内に備えられたＭＭＳゲートウェイ２０２との間に、無線ネットワーク上の直接のＭＭＳチャネルが確立される。その結果、セキュリティが確保され、また無線ＬＡＮを使用するためにコストが低くなる。従って、一企業にとっては、そのモバイル端末所持従業員は、無線ＬＡＮサポートの携帯電話などのＭＭＳユーザ・デバイス２０４を使用して、企業内のＭＭＳアプリケーション１１２と対話する（企業のＭＭＳゲートウェイとの交信により）ことができる。
【００２２】
ＭＭＳユーザ・デバイスが無線ＬＡＮを使用できない場合には、本発明により、ＭＭＳユーザ・デバイスは、通信ネットワークを経由して、依然としてマルチメディア・メッセージを送信及び／又は受信することができて、ユーザが該ＭＭＳユーザ・デバイスを使用する上で障害はない。通信ネットワーク上でのマルチメディア・メッセージの送受信は、任意の既存の又は将来の技術を用いて実現できる。例えば、通信ネットワーク上でマルチメディア・メッセージを送信及び／又は受信する場合には、通常の技術を使うことができる。添付の図面を含む本明細書においては、一例として、ＷＡＰプロトコルが通信ネットワーク内で採用されている。言うまでもなく、このことは、本発明の保護の範囲に対する制限と考えるべきではない。特にこの場合、ＭＭＳユーザ・デバイス２０４はさらに、短メッセージ・レシーバ（ＳＭＳレシーバ）３０８と、第２のメッセージ・トランシーバ３１０（ＷＡＰプロトコルを使用している場合にはＷＡＰトランシーバ）とを有し、通信ネットワーク３１２は、さらにゲートウェイ（ＷＡＰプロトコルを使用している場合にはＷＡＰゲートウェイ）３０６と、短メッセージ・ストレージ（ＳＭＳストレージ）３０２を含む短メッセージ・センター（ＳＭＳセンター）３０４とを有する。加えて、ＭＭＳゲートウェイ２０２中の通知センダー２１４及びＭＭＳストレージ／トランシーバは、さらに、通信ネットワークを経由してＭＭＳユーザ・デバイスと対話できるように構成される。一例として、通知センダー・モジュールは、ユーザ・デバイスと交信するための２種類のインタフェースを有する。通信ネットワークがＧＳＭネットワークであると仮定し、且つ、ＨＴＴＰプロトコルが無線ＬＡＮ内で使われていると仮定すれば、一つのインタフェースはＧＳＭモデム・インタフェースとし、もう一つのインタフェースはＨＴＴＰインタフェースとすることができる。前記ＧＳＭモデム・インタフェースは、適切なモデム・ドライバによってＰＣのシリアルポートに接続されているＧＳＭモデム又は電話である。次に、通知センダーは、ＳＭＳを、ＧＳＭモデムを経由してＳＭＳセンターに送信することができる。ＨＴＴＰインタフェースは、ＭＭＳ通知情報を無線ＬＡＮ上でＭＭＳユーザに送信する。通信ネットワークを経由してＭＭＳメッセージを送信するときは、ＭＭＳユーザ・デバイスが第２メッセージ・センダー３１０を始動して、ＭＭＳメッセージを搬送する要求（ＷＡＰ要求など）をゲートウェイ３０６に送信し、次いで、ゲートウェイ３０６は、ＭＭＳメッセージを、メッセージの保管のために、ＭＭＳストレージ／トランシーバへ通過させる。ＭＭＳユーザ・デバイスがＭＭＳメッセージを、通信ネットワークを経由して受信しようとするとき、即ち、ＭＭＳストレージ／トランシーバがメッセージを該ＭＭＳユーザ・デバイスに送信するときには、それは初めに通知センダー２１４を呼び出して、ＳＭＳ通知メッセージを通信ネットワークのＳＭＳセンター３０４に送信し、その際、前記ＳＭＳ通知メッセージは、ＭＭＳストレージ／トランシーバ内でのマルチメディア・メッセージの保管位置を示す位置情報を搬送する。次に、ＳＭＳセンターは、その通知をユーザ・デバイス２０４に転送する。ユーザ・デバイスのＳＭＳレシーバがＳＭＳを受信し、前記位置情報を取得した後、該レシーバは位置情報を含む要求（ＷＡＰ要求など）を生成し、第２メッセージ・トランシーバ３１０が該要求をゲートウェイ３０６に送信する。最後に、ＭＭＳストレージ／トランシーバ２１６がＭＭＳメッセージを取得し、それをユーザ・デバイス２０４に送信する。ＭＭＳメッセージは、第２メッセージ・トランシーバが受信する。
【００２３】
通信ネットワークと無線ＬＡＮの間の自動切換えを実現するために、好ましい実施形態においては、ＭＭＳゲートウェイ２０２が、さらに、前記ＭＭＳユーザ・デバイス２０４の位置を検出するように設定されたプレゼンス・マネージャ２１８を有する。ＭＭＳユーザ・デバイスが、無線ＬＡＮ２０６内に位置する場合は、ＭＭＳゲートウェイはＭＭＳユーザ・デバイスと無線ＬＡＮを経由して交信し、また、ＭＭＳユーザ・デバイスが、無線ＬＡＮ２０６内に位置するように検出できない場合には、ＭＭＳゲートウェイはＭＭＳユーザ・デバイスと通信ネットワーク３１２を経由して交信する。即ち、無線ＬＡＮは通信ネットワークより遥かに優れているので、該システムは、無線ＬＡＮが利用できる限り、通信ネットワークが利用できるかどうかによらずに、無線ＬＡＮに第１の順位を与える。無線ＬＡＮが利用できない場合にだけ、通信回線がＭＭＳメッセージの送信及び／又は受信に使用される。
【００２４】
検出プロセスは、任意の既存の又は将来の技術を使用して、例えば、ＭＭＳユーザ・デバイスのハートビート・センダーによって周期的に送信されるハートビート信号を検出することによって実現することができる。或いは、プレゼンス・マネージャ２１８は、確かに、通信ネットワーク内で用いられる従来技術の位置決め法、又は任意の他の位置決め法を使用することができる。第１実施形態におけるように、好ましい実施形態として、ＭＭＳゲートウェイは、ユーザがＭＭＳシステムにアクセスする権限を与えられているかどうかを確認する認証モジュールを有することができる。さらに、前記ＭＭＳゲートウェイが企業イントラネット内に備えられて、企業のバックエンドＭＭＳアプリケーションと交信することができ、その結果、企業の種々のアプリケーションを稼動できる。本ソリューションにおいては、ＳＭＳセンター、及びＷＡＰゲートウェイなどのゲートウェイは、通信回線オペレータの所有となる。該ゲートウェイは、ＭＭＳユーザ・デバイスと、ＷＡＰプロトコルなどの適切なプロトコルによって交信するためのものであり、且つ、例えば、ＷＡＰプロトコルを、ＨＴＴＰプロトコルなどＭＭＳストレージ／トランシーバとの交信に適合するプロトコルに変換して、ＭＭＳストレージ／トランシーバと交信するためのものである。
【００２５】
このように、ＭＭＳユーザ・デバイスが無線ＬＡＮ内に位置するときは、ＭＭＳユーザ・デバイスは、企業イントラネット内で、ＭＭＳゲートウェイと直接交信する。しかし、交信に通信ネットワークが使用される場合には、通信ネットワークのＳＭＳセンター、及びＷＡＰゲートウェイなどのゲートウェイが依然として使用される。後者の場合には、本ソリューションは十分なセキュリティを確保できない。
【００２６】
もしＢ２Ｅ又はＢ２Ｃが、通信ネットワーク上での高セキュリティのソリューションを必要とするならば、その要件を満たすには二つの方法がある。第１のソリューションは、ユーザ・デバイスと企業ＭＭＳゲートウェイの間にＷＴＬＳセッションを確立することを可能にするような、エンドツーエンドのセキュリティ・モデルを構築することである。残念ながら、ＷＴＬＳは、現在のＷＡＰ標準においては、ＷＡＰクライアントとＷＡＰゲートウェイの間で動作するだけであり、従って、ＷＡＰゲートウェイはオペレータ・ドメインから企業ドメインに移動させなければならず、即ち、ＷＡＰゲートウェイを所有するのは通信回線オペレータではなく、ＷＡＰゲートウェイを所有するのは企業となる。換言すれば、ＷＡＰゲートウェイ４０２が、図４（第３実施形態）に示されるように、ＭＭＳゲートウェイ内に備えられる。この第３実施形態は、ＭＭＳ通知を保管し、転送するために通信ネットワークのＳＭＳセンター３０４を必要とするだけである。しかし、通知は、企業イントラネット内だけで有用なＭＭＳ位置情報を搬送するだけなので、通知メッセージを保護するために位置情報を暗号化する必要は必ずしもない。本方法の一つの利点は、このエンドツーエンド・セキュリティ・ソリューションは現在のＭＭＳカプセル化及びプロトコル標準を変更せず、従って、ＭＭＳユーザ・デバイス２０４が何らの変更なしに、本発明中で使用できるということである。しかし、ある会社は、ＷＡＰゲートウェイを所有し維持することを望まないが、その理由はオペレータが既にかれらのインフラストラクチャ内のＷＡＰゲートウェイを稼動させているためである。その場合には、我々は、暗号−ＭＭＳセキュリティ版と呼ばれる、本発明における第２のセキュリティ・ソリューションを提供する。
【００２７】
図５に示されるように、第４の実施形態においては、認証及びキー管理モジュール５０２がＭＭＳゲートウェイ内に付加されて、ユーザに対称キーを配布し、証明書管理モジュール５０４がユーザ・デバイス内に付加される。ＭＭＳゲートウェイ及びユーザ・デバイスは両方ともに、同じ対称的暗号を配備してＭＭＳメッセージをエンコード及びデコードして、これらのメッセージのプライバシーを保護する。
【００２８】
暗号化は任意の可能な方法で実現できることは、言うまでもない。以下に例を挙げる。
【００２９】
１．ＭＭＳユーザ・デバイスがＭＭＳゲートウェイの証明書を有しない場合、該デバイスは初めにＣＡ（証明書）要求をゲートウェイに送信する。該ゲートウェイが、ユーザ・デバイス番号に従って、該ユーザがＭＭＳを送信及び受信するためのアクセス権をもつことを確認した後、ゲートウェイのＣＡがユーザ・デバイスに送信される。証明書をユーザ・デバイスに配布するのに３つの方法がある。赤外ポートを経由して手動で証明書をユーザ・デバイスに同期化する方法、又は、証明書をＳＭＳ若しくはＷＡＰ応答を経由して送信する方法である。
【００３０】
２．ＭＭＳユーザ・デバイスは、マスターキー（Ｍａｓｔｅｒ  Ｋｅｙ）要求をゲートウェイに送信し、ゲートウェイはセッションＩＤ、及び、ランダム文字などのマスターキーを造り、それらを、ＳＭＳ又はＷＡＰ応答を経由して該デバイスに送信する。該ランダム文字はゲートウェイのプライベート・キーによって暗号化される。
【００３１】
３．ランダム文字はユーザ・デバイスによってデコードされ、該デバイスの電話番号及びセッションＩＤと混合されて、共有秘密キーが生成される。混合操作は任意の操作であってよく、最も簡単なのはＸＯＲ操作である。同時に、ゲートウェイもまた、同じアルゴリズムを用いて共有秘密キーを生成する。
【００３２】
４．ＭＭＳユーザ・デバイスとＭＭＳゲートウェイの両方は、共有秘密キーを用いてＭＭＳメッセージを暗号化することによって、秘密に互いに交信することができる。
【００３３】
前記の暗号化プロセスにおいて、ＭＭＳユーザ・デバイスとＭＭＳゲートウェイの両方は、キーの再使用から生じるアタックの脅威を防ぐために、セッションＩＤを変更することによって共有秘密キーを新しくすることができる。本発明は、ここに開示された特定の実施形態を参照しながら説明されたが、ここで示された詳細に制限されるものではなく、本出願は、本明細書を読んだ当業者には明白である全ての改変及び同等物を包含することを意図している。
【図面の簡単な説明】
【００３４】
【図１】従来技術におけるＭＭＳシステムの概観図である。
【図２】本発明によるＭＭＳシステム、ゲートウェイ及びユーザ・デバイスの第１の実施形態を示すブロック・ダイアグラムである。
【図３】本発明によるＭＭＳシステム、ゲートウェイ及びユーザ・デバイスの第２の実施形態を示すブロック・ダイアグラムである。
【図４】本発明によるＭＭＳシステム、ゲートウェイ及びユーザ・デバイスの第３の実施形態を示すブロック・ダイアグラムである。
【図５】本発明によるＭＭＳシステム、ゲートウェイ及びユーザ・デバイスの第４の実施形態を示すブロック・ダイアグラムである。
【図１】
2007531361.tif 000003
【図２】
2007531361.tif 000004
【図３】
2007531361.tif 000005
【図４】
2007531361.tif 000006
【図５】
2007531361.tif 000007
【国際調査報告】
2007531361.tif 000008
2007531361.tif 000009
2007531361.tif 000010
2007531361.tif 000011
2007531361.tif 000012